(57)【要約】【課題】使用時において出没せしめた芯体と筒体の軸線を一致させ、偏心に起因する軸振れを簡便に防ぐことができるとともに、スムーズな操作を妨げることなく、また、握りやすい出没式筆記具の提供。【解決手段】内部に弾性素材の芯体を複数収納した筒体と、選択した一の該芯体を該筒体より出没せしめる機構とを備えた出没式多芯筆記具であって、前記芯体の外周面には前記筒体の内周面方向へ突出する突起部を設け、前記筒体の握り部において、握り部上部は握り部下部よりも太く、且つ、握り部上部から握り部下部にかけてその内径が漸次縮径するように形成されており、前記突起部は芯体収納時には握り部上部の内周面に当接し、使用時には握り部下部の内周面に当接することを特徴とする出没式多芯筆記具。【選択図】  図３
2020082638.tif 000002
【特許請求の範囲】
【請求項１】
内部に弾性素材の芯体を複数収納した筒体と、選択した一の該芯体を該筒体より出没せしめる機構とを備えた出没式多芯筆記具であって、前記芯体の外周面には前記筒体の内周面方向へ突出する突起部を設け、前記筒体の握り部において、握り部上部は握り部下部よりも太く、且つ、握り部上部から握り部下部にかけてその内径が漸次縮径するように形成されており、前記突起部は芯体収納時には握り部上部の内周面に当接し、使用時には握り部下部の内周面に当接することを特徴とする出没式多芯筆記具。
【請求項２】
ノック部材と芯体との結合部において、芯体の軸回転防止手段を設けたことを特徴とする請求項１に記載の出没式多芯筆記具。
【請求項３】
握り部の内周面に突起部の動きをガイドする溝部を設けたことを特徴とする請求項１または２に記載の出没式多芯筆記具。
【請求項４】
前記握り部上部と前記握り部下部は、それらの横断面形状が互いに異なる形状に形成されていることを特徴とする請求項１ないし３のいずれか１項に記載の出没式多芯筆記具。
【請求項５】
前記握り部上部は円形、前記握り部下部はおむすび形にそれぞれの横断面形状が形成されている請求項４に記載の出没式多芯筆記具。
【請求項６】
前記握り部下部の途中に、握り部下部を上下に分割するパッキング部を設けたことを特徴とする請求項１ないし５のいずれか１項に記載の出没式多芯筆記具。
【発明の詳細な説明】
【技術分野】
【０００１】
本発明は、使用時に選択した一の芯体を筒体より出没せしめる機構を有する出没式多芯筆記具であって、更に詳細には、出没せしめた芯体の軸線が筒体の軸線と一致することにより、偏心に起因する軸振れ防止を図る出没式多芯筆記具の構成に関する。
【背景技術】
【０００２】
従来の出没式多芯筆記具は、複数本の芯体を筒体内に偏心させて収納する構造上、使用時に一の芯体を筒体より出没せしめたときに、図５（ａ）に示すように弾性素材の芯体が筒体内で弓状に湾曲し、その結果、図５（ｂ）に示すように、芯体先端が斜めに出没し、筒体の軸線Ｘと芯体先端の軸線Ｙが一致しなかった。そのため、使用時の安定性が悪くなり、また、紙面と芯体先端の間の筆記角度が６０度以下となってカシメによる紙擦りが発生してスムーズな書き心地を得られなかった。さらに、そのような筆記具を長時間使用すると、疲労が蓄積しやすいなどの問題もあった。
【０００３】
かかる問題を解決するものとして、芯体が外部に露出する開口部付近に芯体を把持するためのチャック部材を配置した多芯筆記具が特許文献１において開示されている。
【０００４】
しかしながら、この多芯筆記具は、部材も多く複雑な構成を有しているため、実施化にあたっては、製造工程も増え、コストが高くなるために、既製品の安価なボールペンなどには採用できるものではなかった。  
【０００５】
そこで、本出願人はかかる課題を解決すべく、筆記具の筒体の内周面および芯体の外周面にそれぞれ凸部を設け、芯体凸部が筒体凸部に当接することによって該芯体先端側と該筒体の軸線を一致させるように該芯体を弾性変形させることを特徴とする出没式多芯筆記を開発した（特許文献２）。
【０００６】
このものは、筒体の内周面および芯体の外周面にそれぞれ凸部を有しており、使用時にそれらの凸部が互いに当接することにより芯体が弾性変形を起こし、筒体の軸線と一致するというものである。その結果、偏心に起因する軸振れを防ぐことができ、滑らかで安定した書き心地が得られる。
【０００７】
しかしながら、かかる効果にも関わらず、この考案には以下のような問題もあった。すなわち、このものは、筒体の内周面および芯体の外周面にそれぞれ凸部を有し、使用時に両凸部が当接することにより該芯体が弾性変形を起こし、芯体の軸線が筒体の軸線と一致するというものであるが、両凸部の接触面積が小さく、わずかでも芯体の位置が上下方向にずれると、所望の効果を得ることができなかった。  
【０００８】
また、芯体凸部と筒体凸部が互いに接触した際、両凸部同士の抵抗が大きく引っ掛かりが生じ、スムーズな芯出没時の操作を妨げるものであった。
【０００９】
また、筒体の内周面および芯体の外周面にそれぞれ凸部を設ける場合、筒体が従来のものよりも太くなる場合があり、握りやすさを損ねるおそれがあった。      
【先行技術文献】
【特許文献】
【００１０】
【特許文献１】特開平９−６６６９６
【特許文献２】実用新案登録第３１２３５８７号
【発明の概要】
【発明が解決しようとする課題】
【００１１】
そこで本発明は、従来の出没式多芯筆記具のかかる欠点を克服し、使用時において芯体と筒体の軸線を一致させ、偏心に起因する軸振れを簡便に防ぐことができるとともに、スムーズな芯体の出没操作を妨げることなく、また、握りやすい出没式筆記具の提供をその課題とするものである。  
【課題を解決するための手段】
【００１２】
本発明は、上記課題を解決するものであり、内部に弾性素材の芯体を複数収納した筒体と、選択した一の該芯体を該筒体より出没せしめる機構とを備えた出没式多芯筆記具であって、前記芯体の外周面には前記筒体の内周面方向へ突出する突起部を設け、前記筒体の握り部において、握り部上部は握り部下部よりも太く、且つ、握り部上部から握り部下部にかけてその内径が漸次縮径するように形成されており、前記突起部は芯体収納時には握り部上部の内周面に当接し、使用時には握り部下部の内周面に当接することを特徴とする出没式多芯筆記具である。
【発明の効果】
【００１３】
本発明にかかる出没式多芯筆記具は、握り部下部の内周面に当接する突起部により芯体が弾性変形を生じ、芯体と筒体の軸線が一致する。そして、握り部上部から握り部下部にかけて握り部中間部の内径が漸次縮径するように形成されているため、突起部はこれらの内周面に当接しながら滑らかに移動し、芯体の出没操作も引っかかりなくスムーズに行うことができる。
【００１４】
また、芯体の突起部は、使用時においては握り部下部の内周面のいずれかの部分に当接すればよいため、芯体の上下方向の位置のズレなどにも影響されず使用することができる。
【００１５】
さらに、本発明にかかる出没式多芯筆記具は、握り部上部から握り部下部へと漸次細くなっていくように形成されているため、握りやすいという特徴も有する。
【図面の簡単な説明】
【００１６】
【図１】本発明の出没式多芯筆記具の正面図。
【図２】（ａ）本発明の出没式多芯筆記具の芯体の平面図、（ｂ）同正面図。
【図３】本発明の出没式多芯筆記具の握り部以下の縦断面図。
【図４】（ａ）本発明の握り部の横断面図、（ｂ）本発明の異なる実施態様の握り部の横断面図。
【図５】（ａ）従来の出没式多芯筆記具の断面図（内部のバネの記載は省略）、（ｂ）従来の出没式多芯筆記具の先端部付近の拡大断面図。
【発明を実施するための形態】
【００１７】
以下、本発明の出没式多芯筆記具の実施態様を、図面に基づいて具体的に説明する。なお、本発明はこれら実施態様に何ら制約されるものではない。
【００１８】
図１は、本発明に係る出没式多芯筆記具を示す正面図である。本発明に係る出没式多芯筆記具は、本体となる筒体１の内部に弾性素材で形成された芯体２を複数本収納している。使用者は、かかる芯体２の中から任意に選択した１本の芯体２を筒体１より出没せしめて使用する。芯体２を筒体１より出没せしめるための機構は、いわゆるノック式といわれる公知のものであり、選択した芯体２の後端に結合されたノック部材１５を筒体１の先端方向へ押し下げてやることにより、先端開口部１４より出没させる。芯体２の素材は、一般的に使用されているポリプロピレン等ほか、芯体２を横から押圧したときに適宜に撓む弾性素材のものであれば、特に限定はしない。
【００１９】
筒体１は、筒体上部１１と、該筒体上部１１の下端に着脱自在に取り付けられた握り部１２と、該握り部１２の下端から連接された口先部１３を備える。筒体上部１１と握り部１２の取り付けは、筒体上部１１外周面と握り部１２の内周面にそれぞれネジ部を設け、それらを螺合させることにより着脱自在としてもよいが、着脱時に螺合が不要な外嵌圧入による結合が好ましい。
【００２０】
握り部１２は、図に示すように、その上部と下部において太さが異なっている。すなわち、握り部上部１２１は握り部下部１２３よりも太くなるように形成されており、また、握り部中間部１２２では、その太さは握り部上部１２１から握り部下部１２３へと絞られて徐々に細くなっていくように形成されている。すなわち、握り部上部１２１から握り部下部１２３にかけて、握り部中間部１２２の内径は漸次縮径している。なお、握り部１２はゴム等の弾性素材で形成された滑り止めにより外周面を被覆してもよい。
【００２１】
筒体１の内部に収納される芯体２は、図２に示すように、その外周面に、筒体１内周面方向へ突出する突起部２１が設けられている。本実施態様の突起部２１は、先端が丸みを帯びた略矩形に形成されているが、突起部２１の形状はこれに限定されず、半円形、半楕円形、台形、正方形、矩形などの形状としてもよい。
【００２２】
突起部２１の突出高さは、収納時の芯体２外周面から対向する筒体１内周面までの距離とほぼ一致するように形成されている。また、突起部２１の芯体２における軸方向の長さは、芯体２の弾性変形を妨げない長さに形成するのが好ましく、とりわけ、３〜５ｍｍ程度に形成するのが望ましい。突起部２１は、芯体２と異なる素材を選択し、芯体２を形成後、別途、接着成形しても良いが、同一素材を選択し、一体成形により得るほうが製造も容易で、強度の点からも好ましい。
【００２３】
また、芯体２は使用時に軸回転すると、その突起部２１が適切に握り部１２の内周面に当接しなくなる。かかる軸回転を防ぐために、ノック部材１５と芯体２との結合部において、芯体２の軸回転防止手段を設けてもよい。具体的には、図２（ａ）に示すように、ノック部材１５を接合する芯体２の上端部付近の開口形状を四角形とし、かかる孔部２２に挿入されるノック部材１５の端部も断面形状を四角形とすることにより、芯体２の軸回転を防ぐことができる。なお、孔部２２の開口形状とノック部材１５の端部形状は四角形に限定されず、互いに嵌合する凹凸部を有すればよい。
【００２４】
さらに、その他の芯体２の軸回転防止手段として、握り部１２の内周面に突起部２１の動きをガイドする溝部を形成してもよい。この溝部は、突起部２１の当接する位置に沿って形成された縦溝であり、突起部の先端が挿入可能な凹状に形成されている。この溝部に突起部２１の先端が挿入されることにより、芯体２の出没操作時において、芯体２の軸回転を効果的に防ぐことができる。
【００２５】
図３により、芯体２の収納時および使用時における突起部２１の位置関係をより詳しく説明する。図で一番右側の実線で表された芯体２が収納時における芯体２の位置を示しており、このように、収納時においては、突起部２１の先端部は握り部上部１２１の内周面に接している。なお、本実施態様では収納時においても突起部２１の先端部は握り部上部１２１の内周面に接しているが、収納時においては、必ずしも握り部上部１２１の内周面に常に接していなくてもよい。
【００２６】
そして、使用者が芯体２を筒体１から出現させるために、ノック部材１５を筒体１の先端方向へ押し下げ、芯体２を下方に移動させると、それに伴い突起部２１も下方へ移動する。突起部２１は、握り部下部１２３へと漸次縮径するように形成された握り部中間部１２２の内周面に当接しながら下方へ移動し、その際、握り部中間部１２２の内周面から押されて軸心方向へも移動する。
【００２７】
芯体２が筒体１より出現して使用可能となった状態で、突起部２１の先端部は握り部下部１２３の内周面に当接して停止する。そして、弾性素材で形成された芯体２は握り部下部１２３の内周面に当接する突起部２１により筒体１の中心方向へと押されて弾性変形を生じ、その結果、突起部２１から先端開口部１４へとほぼ垂直状態に収まるので、突起部２１より下方では芯体２と筒体１の軸線が一致することになる。
【００２８】
さらに、収納および使用時の芯体２の位置関係を図４により説明する。これらの例では、収納された３本の芯体２のうち、図で中央上に表されている芯体２を選択し、使用するものとする。なお、より理解しやすいように、握り部上部１２１と握り部下部１２３部分の断面を同じ図面上に表す。図４（ａ）に示すように、収納時に芯体２は実線部分に位置しているが、芯体２と突起部２１が下方へ移動するのに伴い芯体２の中心は筒体１の軸線方向へとスライドし、最終的に破線部分に位置し、筒体１の軸線と一致する。
【００２９】
なお、図４（ａ）の態様では、握り部上部１２１と握り部下部１２３はともに横断面形状が円形に形成されているが、それらの横断面形状は異なる形状としてもよく、例えば、図４（ｂ）に示すように、握り部上部１２１は円形、握り部下部１２３はおむすび形に形成してもよい。このように、握り部下部１２３をおむすび形とすることにより、握りやすくなるとともに、突起部２１の先端が常にかかるおむすび形の入隅部分に当接するようになるため、芯体２の軸回転を防ぐことができる。
【００３０】
また、握り部下部１２３の途中に、図３に示すようなパッキング部１６を設けてもよい。かかるパッキング部１６は、ゴム等の弾性素材からなるリング状の部材であり、パッキング部１６を境に握り部下部１２３は上下に分割されている。かかるパッキング部１６を設けることにより、使用時に握り部１２にしなりの効果が生まれ、より書き心地が向上する。パッキング部１６は図３の実施態様のように、単体で握り部下部１２３に設けられてもよいが、例えば、握り部１２全体を弾性素材で形成された滑り止めで被覆した場合、かかる滑り止めの内周面に固定、もしくは、滑り止めと一体に形成してもよい。
【００３１】
本発明の出没式多芯筆記具によれば、芯体２の出没時に突起部２１が握り部上部１２１ないし握り部下部１２３の内周面に当接しながら移動するが、握り部上部１２１から握り部下部１２３にかけて握り部中間部１２２が漸次縮径するように形成されているため、突起部２１は大きな摺動抵抗を受けることなく、滑らかに移動することができる。また、突起部２１は握り部下部１２３の内周面のいずれかに当接すればよいため、芯体２の上下方向の位置のズレなども影響することがない。
【００３２】
なお、本実施態様では芯体２は３本であるが、芯体２の本数はこれに限定されず、２本、もしくは４本以上であってもよい。また、それらの芯体２はすべてインクを収容したボールペンの芯体としてもよく、あるいは、それらのうち、１本をシャープペンの芯を収容した芯体としてもよい。シャープペンの芯を収容する芯体の場合、芯体２の弾性変更に伴いシャープペンの芯も適宜弾性変形するため、内部で折れるようなことはない。
【００３３】
また、本発明の出没式多芯筆記具は、握り部上部１２１は握り部下部１２３よりも太く、また、握り部中間部１２２では、その太さは握り部上部１２１から握り部下部１２３へと漸次細くなっていくように形成されているため、握り部１２を把持したときに、人差し指と親指が握り部中間部１２２に掛かる形となり、握りやすい。
【符号の説明】
【００３４】
１  …  …  筒体
２  …  …  芯体
１１  …  …  筒体上部
１２  …  …  握り部
１３  …  …  口先部
１４  …  …  先端開口部
１５  …  …  ノック部
１６  …  …  パッキング部
２１  …  …  突起部
２２  …  …  芯体上端開口部
１２１  …  …  握り部上部
１２２  …  …  握り部中間部
１２３  …  …  握り部下部
Ｘ  …  …  筒体の軸線
Ｙ  …  …  芯体の軸線
【図１】
2020082638.tif 000003
【図２】
2020082638.tif 000004
【図３】
2020082638.tif 000005
【図４】
2020082638.tif 000006
【図５】
2020082638.tif 000007